(57)【特許請求の範囲】
【請求項１】
遊技球が流下する遊技領域と、
前記遊技領域に設けられ、前記遊技領域を流下する遊技球を導入口から受け入れて、第１の領域と第２の領域とに交互に振り分ける振分装置と、を備えた遊技機であって、
前記振分装置は、
前記導入口の下方に配置された前後方向の回動軸に支持され、前記導入口から受け入れた遊技球を受ける受け部を有するとともに、前記受け部で受けた遊技球の自重によって回動可能に形成された振分部材と、
前記回動軸の下方に配置された前後方向の揺動軸に支持され、前記振分部材に連結されて前記振分部材の回動に伴い揺動可能に形成された補助部材と、
前記補助部材の少なくとも一部に当接して、前記補助部材の揺動範囲を規制する規制部と、を備え、
前記補助部材が前記規制部に当接することにより、前記振分部材が、前記導入口から受け入れた遊技球を前記第１の領域に流下させることができる第１の回動位置と、前記遊技球を前記第２の領域に流下させることができる第２の回動位置とに停止するように形成されていることを特徴とする遊技機。
【請求項２】
前記振分部材は、前記受け部の下方に延設された連結片を備え、前記補助部材は、前記連結片に形成された開口部に係合可能な係合部材を備え、前記振分部材と前記補助部材とは、前記係合部材を前記開口部に係合させて連結され、
前記開口部の内縁と前記係合部材との間には、前記補助部材が前記規制部に当接したときの反動で跳ね返った場合でも、前記係合部材が前記開口部の内縁に接触しない程度の間隙が設けられていることを特徴とする請求項１記載の遊技機。
【発明の詳細な説明】
【技術分野】
【０００１】
本発明は、球振分装置を備えた遊技機に関するものである。
【背景技術】
【０００２】
従来、遊技領域を流下する遊技球を受け入れ、傾倒状態を変化可能な振分部材によって受け入れた遊技球を左右方向に振り分ける球振分装置を備えた遊技機が知られている（特許文献１、２参照）。そして、このような球振分装置においては、受け入れた遊技球を羽根状の振分部材に当接させ、遊技球の自重により振分部材が回動して、電気的制御を用いることなく遊技球を左右に振り分けるようになっている。また、この振分部材を直接ストッパーに接触させることにより振分部材の回動を停止させており、遊技球を受け入れる度に振分部材の傾倒状態が交互に変化し、振り分け方向を異ならせるように形成されている。
【先行技術文献】
【特許文献】
【０００３】
【特許文献１】特開２０１２−２３１９０２号公報
【特許文献２】特開２０１４−１２１４８６号公報
【発明の概要】
【発明が解決しようとする課題】
【０００４】
しかし、振分部材を直接ストッパーに接触させるようにすると、ストッパーに当たったときの反動で振分部材が回動してしまい、遊技球を交互に異なる方向に振り分けられない場合がある。また、振分部材はただでさえ頻繁に遊技球と接触しているところ、ストッパーにも接触させるようにすると、破損のおそれがある。特に、振分部材を小型化、軽量化しようとすると、かかる問題が顕著となる。
本発明は、上記した問題点を解決すべく、軽量かつコンパクトな構造であっても、遊技球の振り分けを良好に行うことができる振分装置を備えた遊技機を提供することを目的とする。
【課題を解決するための手段】
【０００５】
上述した目的を達成するために、本発明は以下のような構成を備える。
すなわち、本発明に係る遊技機（パチンコ機Ｐ）は、遊技球が流下する遊技領域１２０と、前記遊技領域１２０に設けられ、前記遊技領域１２０を流下する遊技球を導入口３１から受け入れて、第１の領域（第１始動入賞口１５０）と第２の領域（第２始動入賞口１６０Ａ）とに交互に振り分ける振分装置１と、を備えている。この前記振分装置１は、前記導入口３１の下方に配置された前後方向の回動軸７０に支持され、前記導入口３１から受け入れた遊技球を受ける受け部（羽根部１２）を有するとともに、前記受け部で受けた遊技球の自重によって回動可能に形成された振分部材（振分回転体１０）と、前記回動軸７０の下方に配置された前後方向の揺動軸８０に支持され、前記振分部材に連結されて前記振分部材の回動に伴い揺動可能に形成された補助部材（リンク部材２０）と、前記補助部材の少なくとも一部に当接して、前記補助部材の揺動範囲を規制するための規制部（左壁部５１Ａ、右壁部５１Ｂ）と、を備えている。
【０００６】
そして、前記補助部材が前記規制部に当接することにより、前記振分部材が、前記導入口３１から受け入れた遊技球を前記第１の領域に流下させることができる第１の回動位置と、前記遊技球を前記第２の領域に流下させることができる第２の回動位置とに停止するように形成されていることを特徴とする。
【０００７】
ここで、振分部材の受け部は、上方から流下してくる遊技球を受ける板状の部材とすることができる。またここで、規制部は、補助部材の側端部や補助部材に設けられた突起部２３などに当接して、補助部材が揺動軸８０を中心に所定角度を超えて回動しないように規制するものである。
【０００８】
本発明においては、振分部材を第１の回動位置、第２の回動位置に停止させるために、補助部材を規制部に当接させて停止させることにより、補助部材に連結された振分部材の回動を間接的に規制している。このように、振分部材を直接ストッパーに接触させないことにより、振分部材を小型化、軽量化した場合でも、遊技球を所定の方向（第１の領域に流下させる方向、又は第２の流下させる方向）に流下させた後に、反動で元の位置（遊技球を所定の方向に流下させる位置）に戻ってしまうことがない。また、ストッパーとの接触をなくすことにより、振分部材にかかる衝撃を少なくして、破損を防止することができる。
【０００９】
ここで、本発明においては、前記振分部材は、前記受け部の下方に延設された連結片１３を備え、前記補助部材は、前記連結片１３に形成された開口部（長孔１５）に係合可能な係合部材２４を備え、前記振分部材と前記補助部材とは、前記係合部材２４を前記開口部に係合させて連結され、前記開口部の内縁と前記係合部材２４との間には、前記補助部材が前記規制部に当接したときの反動で跳ね返った場合でも、前記係合部材２４が前記開口部の内縁に接触しない程度の間隙Ｃを設けるように形成することができる。
このように形成することにより、補助部材が規制部に当接して跳ね返って係合部材２４が動いても、間隙Ｃがその移動を吸収することができ、係合部材２４の移動によって連結片１３が動いてしまい振分部材が回動して元の位置に戻ってしまうのを防ぐことができる。
【発明の効果】
【００１０】
本発明によれば、軽量かつコンパクトな構造をであっても、遊技球の振り分けを良好にに行うことができる振分装置を備えた遊技機を提供することができる。
【図面の簡単な説明】
【００１１】
【図１】パチンコ機の外観斜視図である。
【図２】パチンコ機の前扉を開けた状態の外観斜視図である。
【図３】パチンコ機の遊技盤の正面概略図である。
【図４】振分装置の分解斜視図である。
【図５】振分回転体の（Ａ）正面図及び（Ｂ）側面図である。
【図６】リンク部材の（Ａ）正面斜視図及び（Ｂ）背面斜視図である。
【図７】振分装置の中央縦断面図である。
【図８】図７のVIII−VIII線断面図である。
【図９】図７のIX−IX線断面図である。
【図１０】振分回転体及びリンク部材の移動を示す図である。
【図１１】振分回転体及びリンク部材の移動を示す図である。
【発明を実施するための形態】
【００１２】
以下、本発明の好適な実施の形態を、図面を参照しつつ説明する。
（パチンコ機Ｐの外部構成）
本実施の形態に係る遊技機は、遊技媒体として遊技球を使用するパチンコ機Ｐである。特に図示していないが、一般的に、パチンコ機Ｐが設置される遊技場においては、島と呼ばれる遊技機の設置領域に、複数台のパチンコ機Ｐが並べて配設されるとともに、遊技球を貸し出すための遊技球貸出装置（特に図示しておらず）が各パチンコ機Ｐに隣接して設置される。また、各パチンコ機Ｐは対応する遊技球貸出装置に接続されている。
遊技球貸出装置は、紙幣の投入や遊技球の貸し出しに必要な価値情報が記憶される記憶媒体（カード）の挿入が可能となっている。そして、遊技球貸出装置に紙幣を投入（又は、カードを挿入）した上で、パチンコ機Ｐに対して所定の操作を行うことにより、遊技球貸出装置から遊技球の貸し出しを受けることができるようになっている。
【００１３】
本実施の形態に係るパチンコ機Ｐは、図１又は図２に示すように、島に固定される四角形状の枠体であって、中空部（特に図示しておらず）を有する機枠Ｆ１と、この機枠Ｆ１にヒンジ機構（特に図示しておらず）により開閉自在に取り付けられる四角形状の枠体であって、中空部（特に図示しておらず）を有する本体枠Ｆ２と、この本体枠Ｆ２にヒンジ機構（特に図示しておらず）により開閉自在に取り付けられ、正面に開口部（特に図示しておらず）が形成された前扉Ｄと、を備えている。
【００１４】
機枠Ｆ１の左下部には、図２に示すように、スピーカ１００が設けられている。また、本体枠Ｆ２の中空部には、遊技領域１２０を形成するための遊技盤１１０が収容されている。また、図１に示すように、前扉Ｄには、開口部を覆う透明板４００と、透明板４００の下方に位置し遊技球を受容可能な上皿６００及び受皿７００と、受皿７００の右方に取り付けられ遊技球の発射操作を行うための操作ハンドル５００と、透明板４００の左右上方にそれぞれ１個ずつ取り付けられたスピーカ１００と、が設けられている。
また、図１に示すように、前扉Ｄの外周には、種々の色や発光パターンで発光することにより演出を行う演出ランプ２３０が設けられている。なお、この演出ランプ２３０は、特に図示していないが、複数色の発光が可能なＬＥＤにより構成されている。
【００１５】
このパチンコ機Ｐでは、機枠１に対して本体枠２を閉じ、さらに、前扉３を閉じると、遊技盤１１の前方に間隙を挟んで透明板４が位置することとなる。これにより、透明板４を介して、後方に位置する遊技盤１１を視認することができるようになっている。
【００１６】
また、上皿６００には、遊技球貸出装置により貸し出される遊技球や、パチンコ機Ｐから払い出される賞球が導かれるようになっている。上皿６００は、所定量の遊技球を受容可能となっているが、この上皿６００が遊技球で一杯になると、その後に貸し出されたり、払い出されたりする遊技球は受皿７００に導かれるようになっている。また、受皿７００の底面には、特に図示していないが、貯留されている遊技球を排出するための排出孔と、排出孔を開閉可能な開閉板と、が設けられている。常態において、排出孔は開閉板により閉じられているものの、開閉板と一体に取り付けられた開閉レバー８００（図１参照）を横方向に移動させることで、開閉板も同方向に移動し、排出孔が開放される。これにより、遊技球を排出孔から落下させて、受皿７００の外に排出することができるようになっている。
【００１７】
また、操作ハンドル５００は、遊技者が所定方向へ向けて回転操作できるように形成されている。そして、遊技者が操作ハンドル５００を回転操作すると、上皿６００に受容されている遊技球が発射装置（特に図示しておらず）に送られ、発射装置によって、操作ハンドル５００の回転角度に応じた強度で遊技球が発射される。このように発射された遊技球は、遊技盤１１０に固定された一対のレールＲ１、Ｒ２に案内されて上昇し、遊技盤１１０の遊技領域１２０に到達する。
【００１８】
ここで、遊技領域１２０は、機枠Ｆ１に対し本体枠Ｆ２及び前扉Ｄを閉じた状態で遊技盤１１０と透明板４００との間に形成される空間のうち、遊技盤１１０に固定された一対のレールＲ１、Ｒ２により略円形状に仕切られた部分であって、遊技球が流下可能な領域である。
この遊技領域１２０は、図３に示すように、パチンコ機Ｐに対向する遊技者から見て左側の領域である第１遊技領域１２１と、パチンコ機Ｐに対向する遊技者から見て右側の領域である第２遊技領域１２２とから構成されている。これら２つの遊技領域１２０は、発射装置の発射強度により、遊技球の進入可能性が異なるようになっている。具体的には、発射装置の発射強度が所定の強度未満（発射装置により発射される遊技球が遊技領域１２０の最高地点に到達しない程度の強度）の場合には、遊技球は第１遊技領域１２１に進入する。これに対して、発射装置の発射強度が所定の強度以上（発射装置により発射される遊技球が遊技領域１２０の最高地点に到達可能な強度）の場合には、遊技球は第２遊技領域１２１に進入する。
【００１９】
また、この遊技領域１２０内には、図３に示すように、遊技球の流下方向を不規則にするための風車及び多数の釘と、遊技球が入球可能な一般入賞口１４０と、始動領域としての第１始動入賞口１５０及び第２始動入賞口１６０と、遊技球が通過可能なゲート２００と、所定条件を満たすことで作動するアタッカー装置１７０と、遊技球を遊技領域１２０外へ導くアウト口１９０と、遊技の進行等に伴って演出を行う演出表示装置２１０と、が設けられている。
【００２０】
本実施の形態では、第２始動入賞口１６０として、第１始動入賞口１５０の右側に並んで配置される第２始動入賞口１６０Ａと、第２始動入賞口１６０Ａの右方であってゲート２００の下方に配置される第２始動入賞口１６０Ｂとの２つが設けられている。そして、第１始動入賞口１５０と第２始動入賞口１６０Ａへは、第１遊技領域１２１を流下する遊技球を受け入れ可能であるとともに、受け入れた遊技球を左右に振り分ける振分装置１によって、交互に遊技球を入球させることができるように形成されている。振分装置１へは、第２遊技領域１２２を流下する遊技球は受け入れ不能であるため、第１始動入賞口１５０及び第２始動入賞口１６０Ａへは、第２遊技領域１２２を流下する遊技球は入球できないようになっている。なお、振分装置１の詳細については後述する。
【００２１】
また、第２始動入賞口１６０Ｂには、図３に示すように、左右に開閉可能な可動片１６１が一対設けられており、可動片１６１が閉じているときには第２始動入賞口１６０Ｂは遊技球を受け入れることができないようになっている。一方、可動片１６１が開くと、開いた状態の可動片１６１が第１遊技領域１２１又は第２遊技領域１２２を流下する遊技球を第２始動入賞口１６０Ｂへ向けて案内するガイド部材として機能することにより、第２始動入賞口１６０Ｂへの遊技球の入球が容易となる。
【００２２】
なお、可動片１６１の構成は特に限定されるものではなく、たとえば、遊技盤１１０に直交する軸を中心に左右方向に回動して第２始動入賞口１６０を開閉する一対の羽根部材や、水平な軸を中心に前後方向に回動して第２始動入賞口１６０を開閉する蓋部材により構成してもよいし、また、上下方向にスライドして第２始動入賞口１６０を開閉するシャッター部材により構成してもよい。
【００２３】
第１始動入賞口１５０又は第２始動入賞口１６０へ遊技球が入球すると、所定個数の賞球が払い出されるとともに、大入賞口１８０が開放される特別遊技を実行するか否かの大当たりの抽選が行われる。また、特別遊技には、大入賞口１８０の開放回数や開放時間、特別遊技終了後に移行する遊技状態の違いなどがそれぞれ異なる複数種類が設けられており、いずれの特別遊技を実行させるかは、各特別遊技に対応付けられた複数種類の特別図柄の中から一の特別図柄を決定する特別図柄の抽選により決定される。
【００２４】
ここで、図３に示すように、遊技盤１１の右下部であって、かつ、遊技領域１２の外側には、遊技についての種々の状況を表示するための装置として、第１特別図柄表示装置３００、第２特別図柄表示装置３１０、普通図柄表示装置３２０、第１特図保留表示装置３３０、第２特図保留表示装置３４０、及び普通図柄保留表示装置３５０が設けられている。
そして、第１始動入賞口１５０へ遊技球が入球すると、第１特別図柄表示装置３００において、所定時間にわたり特別図柄の変動表示が行われ、第２始動入賞口１６０（第２始動入賞口１６０Ａ及び第２始動入賞口１６０Ｂ）へ遊技球が入球すると、第２特別図柄表示装置３１０において、所定時間にわたり特別図柄の変動表示が行われる。また、この間、演出表示装置２１０では変動演出が行われる。そして、所定時間の経過後、第１特別図柄表示装置３００又は第２特別図柄表示装置３１０の変動表示が停止し、大当たり抽選の結果を示す特別図柄が停止表示される。所定の特別遊技が当選している場合には当該特別遊技に対応付けられた特別図柄が停止表示され、ハズレの場合にはハズレに対応付けられた所定の図柄が停止表示される。演出表示装置２１０においても図柄変動を停止させて、抽選結果に応じた図柄を停止表示させる。特別遊技に対応付けられた特別図柄が停止表示された場合には、特別遊技が開始される。
【００２５】
またここで、第１特別図柄表示装置３００又は第２特別図柄表示装置３１０において特別図柄の変動表示が行われている最中、又は特別遊技の実行中に、第１始動入賞口１５０又は第２始動入賞口１６０に遊技球が入球した場合には、その旨が記憶（保留）され、第１始動入賞口１５０への遊技球の入球に基づく記憶数（保留数）は第１特図保留表示装置３３０に、第２始動入賞口１６０への遊技球の入球に基づく保留数は第２特図保留表示装置３４０に、それぞれ表示される。例えば点灯するランプの数により、保留数が報知される。そして、特別図柄の変動表示が終了し又は特別遊技が終了した場合には、保留に基づいて大当たりの抽選及び特別図柄の抽選が行われる。保留は最大４個まですることができ、保留に基づいて大当たりの抽選及び特別図柄の抽選が行われると保留数が減じられ、それに伴い第１特図保留表示装置３３０、第２特図保留表示装置３４０の表示も減じられる。
【００２６】
ゲート２００は、図３に示すように、振分装置１の右斜め上方に設けられている。このゲート２００を遊技球が通過すると、上述の第２始動入賞口１６０Ｂに設けられた可動片１６１を開状態にさせて第２始動入賞口１６０Ｂを開放させるか否かの抽選が行われる。この抽選は、第２始動入賞口１６０Ｂの開放（当たり）、非開放（ハズレ）にそれぞれ対応付けられた複数種類の普通図柄の中から一の普通図柄を決定する普通図柄の抽選として行われる。そして、当該抽選の結果が当たりであった場合、可動片１６１が所定時間、開状態となり、第２始動入賞口１６０Ｂが開放されるようになっている。
【００２７】
また、ゲート２００を遊技球が通過すると、図３に示す普通図柄表示装置３２０において、所定時間にわたり、普通図柄の変動表示が行われる。そして、変動時間の経過後、普通図柄表示装置３２０の変動表示が停止し、普通図柄の抽選の結果を示す普通図柄が停止表示される。すなわち、当たりの場合には当該当たりに対応付けられた普通図柄が停止表示され、ハズレの場合にはハズレに対応付けられた所定の図柄が停止表示される。当たりに対応付けられた普通図柄が停止表示されると、第２始動入賞口１６０Ｂが開放される。第２始動入賞口１６０Ｂが開放されている場合には、より多くの遊技球を第２始動入賞口１６０へ入球させることができ、大当たりの抽選を受ける機会が増え、第２始動入賞口１６０Ｂが開放されていない場合よりも有利な状態とすることができる。
【００２８】
ここで、普通図柄表示装置３２０において普通図柄の変動表示が行われている最中に、ゲート２００を遊技球が通過した場合には、上記と同様に最大４個まで保留され、普通図柄保留表示装置３５０に保留数が表示される。そして、普通図柄の変動表示が終了した場合には、保留に基づいて普通図柄の抽選が行われ、保留数が減じられるとともに普通図柄保留表示装置３５０の表示が減じられる。
【００２９】
アタッカー装置１７０は、図３に示すように、ゲート２００の右斜め上方に設けられている。このアタッカー装置１７０は、遊技球が入球可能な大入賞口１８０と、この大入賞口１８０を開閉する開閉扉１８１とを備えている。常態においては、開閉扉１８１が閉じられ大入賞口１８０は閉鎖されているため、当該大入賞口１８０への遊技球の入球は不可能となっているものの、上述の特別遊技が実行されると、開閉扉１８１が開き大入賞口１８０が開放されるとともに、開閉扉１８１が遊技球を大入賞口１８０へ導く受皿部材として機能することにより、大入賞口１８０への遊技球の入球が可能となる。また、当該大入賞口１８０へ遊技球が入球すると、所定個数の賞球が払い出される。
【００３０】
アウト口１９０は、図３に示すように、遊技領域１２０の最下部に設けられており、一般入賞口１４０、振分装置１（第１始動入賞口１５０及び第２始動入賞口１６０Ａ）、第２始動入賞口１６０Ｂ及び大入賞口１８０のいずれにも入球しなかった遊技球を受け入れるものである。そして、アウト口１９０に受け入れられた遊技球は、遊技盤１１０の背面側に導かれ回収される。
なお、一般入賞口１４０、第１始動入賞口１５０及び第２始動入賞口１６０Ａに入球した遊技球も、遊技盤１１０の背面側に導かれ回収される。
【００３１】
演出表示装置２１０は、図３に示すように、遊技領域１２０の略中央に設けられている。本実施の形態に係るパチンコ機Ｐでは、この演出表示装置２１０として液晶表示装置が用いられている。また、この演出表示装置２１０には、動画や静止画等の画像を表示するための表示部２１１が設けられており、この表示部２１１には、背景画像が表示されるほか、所定の演出態様の一部として、演出図柄（ダミー図柄）が変動表示されるようになっている。そして、各演出図柄の停止表示態様により、特別図柄の抽選や普通図柄の抽選の結果が遊技者に報知されることとなる。
なお、演出表示装置２１０は、液晶表示装置に限定されるものではなく、たとえば、外周に図柄が付された複数のドラムを用いて各種表示を行うドラム式の表示装置等を用いてもよい。
【００３２】
また、遊技盤１１０に設けられる演出を行う装置としては、上記した演出表示装置２１０の他に、種々の色や発光パターンで発光することにより演出を行う遊技盤演出ランプや、種々の色や発光パターンで発光することにより演出を行うとともに、パチンコ機Ｐの機種名を表示するタイトルランプ等を備えていてもよい。
また、演出を行う装置としては、これらに限定されるものではなく、たとえば、種々のタイミングや態様で可動する演出役物装置等を備えてもよい。
【００３３】
（振分装置１）
次に、振分装置１の構造について詳述する。なお、振分装置１及び振分装置１を構成する各構成部品についての、前後（正面背面）、左右（側面）、上下（平面底面）の方向は、振分装置１を遊技盤１１０に固定した状態でパチンコ機Ｐを正面視したときの方向を示すものとする。
振分装置１は、図４に示すように、遊技球を振り分けるための振分回転体１０と、振分回転体１０に連結されるリンク部材２０と、振分回転体１０及びリンク部材２０を収納するハウジング３０とを備えている。また、ハウジング３０は、振分回転体１０及びリンク部材２０の正面側に配置される表カバー４０と、振分回転体１０及びリンク部材２０の背面側に配置される裏カバー５０と、表カバー４０及び裏カバー５０との間に配置されるベース板６０とから構成されている。そして、表カバー４０、裏カバー５０及びベース板６０を組み合わせることにより、遊技球を受け入れる導入口３１と、受け入れた遊技球を通過させる第１球通路３４及び第２球通路３５と、受け入れた遊技球を振分装置１の外部に排出する第１球出口３６及び第２球出口３７が形成されるようになっている。
【００３４】
振分回転体１０は、図５（Ａ）（Ｂ）に示すように、略円板状の円板部１１と、円板部１１の正面側に突設された羽根部１２と、円板部１１の背面底部から垂下して形成された板状の連結片１３とを備えている。なお、図５（Ａ）は振分回転体１０の正面図であり、図５（Ｂ）は振分回転体１０の右側面図である。羽根部１２は、図５（Ａ）に示すように、上方に突出する板状の振分羽根１２Ａと、振分羽根１２Ａを中心として左右対称に形成された２つの板状の受け羽根１２Ｂ、１２Ｃとから構成されている。また、円板部１１の中心には、円板部１１の背面から羽根部１２の正面に貫通する軸孔１４が形成されている。連結片１３には、縦方向に長い長孔１５が形成されている。そして、振分回転体１０は、軸孔１４に回動軸７０（図４参照）を貫通させた状態で、表カバー４０と裏カバー５０との間に、左右方向に回動自在に支持される（図７参照）。
【００３５】
リンク部材２０は、図６（Ａ）（Ｂ）に示すように、略方形板状の揺動部２１と、揺動部２１の底部から垂下して形成された軸止部２２とを備えている。なお、図６（Ａ）はリンク部材２０の正面斜視図であり、図６（Ｂ）はリンク部材２０の背面斜視図である。図６（Ａ）に示すように、揺動部２１の中央部には、正面側に突出する係合部材２４が設けられている。この係合部材２４は、例えばピン等であって、前記振分回転体１０の連結片１３に形成された長孔１５に挿通可能に形成されている（図９参照）。また、図６（Ｂ）に示すように、揺動部２１の背面には、軸中心に係合部材２４が位置するように配置された円筒形の突起部２３が形成されている。この突起部２３の両側には、リンク部材２０の重さを調節するための重り、例えばビス（図示せず）を取り付け可能な調整部２０Ａ（例えばビス孔）が形成されている。リンク部材２０は、揺動部２１をある程度重くすることにより、振分回転体１０の回動を補助し静止状態を保つ重りとしての役割を果たすものとなる。軸止部２２には、前後方向に貫通する軸孔２５が形成されており、リンク部材２０は、軸孔２５に揺動軸８０（図４参照）を貫通させ、かつ係合部材２４を連結片１３の長孔１５に挿通させた状態で、ベース板６０と裏カバー５０との間に、左右方向に揺動自在に支持される（図７参照）。
【００３６】
表カバー４０は、図４に示すように、ハウジング３０の最も前面側に位置する薄板状の装飾板４１を備え、図７及び図８に示すように、装飾板４１の背面には、回動軸７０の前端を受ける軸孔４５が形成されているとともに、後方に突出する側壁部４２及び仕切部４３及び球受け部４４が形成されている。なお、図７は振分装置１の中央縦断面図であり、図８は図７のVIII−VIII線部分の矢視図である。
側壁部４２は、図８に示すように、回動軸７０に支持される振分回転体１０の側方を覆うように形成された左右対称の２つの壁部であり、２つの側壁部４２の上端部の隙間が、振分装置１の導入口３１を構成するものとなる。また、仕切部４３は、２つの側壁部４２の下端部の中間に位置しており、２つの側壁部４２により囲まれた空間の出口を、第１流路３２及び第２流路３３の二股に分けている。球受け部４４は、第１流路３２及び第２流路３３のほぼ真下に設けられたＵ字型の樋部材であり、第１球通路３４及び第２球通路３５を構成するものとなる。
【００３７】
裏カバー５０は、図４に示すように、正面側が開口する箱形の部材であり、高さ方向の中心よりもやや上側には、正面側が開口する扇形の凹部５１が形成されている。また、裏カバー５０の下部には、図９に示すように、略方形の開口部５２が２つ、横方向に並んで形成されており、この開口部５２が、第１球出口３６及び第２球出口３７を構成する。なお、図９は図７のIX−IX線部分の矢視図である。また、図示していないが、裏カバー５０の背面底部には、第１球出口３６及び第２球出口３７から排出された遊技球を検出するためのセンサが設置される。
また、前記凹部５１の上側には、図７に示すように、回動軸７０の後端を受ける軸孔５３が形成され、凹部５１の下側には、揺動軸８０の後端を受ける軸孔５４が形成されている。
【００３８】
ベース板６０は、表カバー４０と裏カバー５０の間に配置される薄板部材であり、図４及び図８に示すように、回動軸７０に軸止される振分回転体１０の円板部１１を内部に配置可能であるとともに、振分回転体１０の連結片１３の長孔１５に挿通されたリンク部材２０の係合部材２４の移動軌跡と干渉しないための開口部６１が形成されている。すなわち、開口部６１は、振分回転体１０の円板部１１を内部に配置するための円形部６１ａと、係合部材２４の移動軌跡と干渉しないための扇形部６１ｂを連続させた形状となっている（図４参照）。また、開口部６１の下方には、円形の開口部６２が２つ、横方向に並んで形成されており、ベース板６０の背面には、２つの開口部６２のそれぞれに連通する２つの樋部６３が形成されている。開口部６２及び樋部６３も、第１球通路３４及び第２球通路３５を構成するものである。
また、図７に示すように、ベース板６０の背面には、揺動軸８０の前端を受ける軸孔６４が形成されている。
【００３９】
そして、表カバー４０及び裏カバー５０及びベース板６０を組み合わせた状態では、図７に示すように、軸孔１４に回動軸７０を貫通させた振分回転体１０が表カバー４０と裏カバー５０の間に軸支され、軸孔２５に揺動軸８０を貫通させたリンク部材２０がベース板６０と裏カバー５０の間に軸支される。また、振分回転体１０の円板部１１はベース板６０の開口部６１内に位置するとともに、羽根部１２はベース板６０の前面側に位置し、連結片１３はベース板６０の背面よりも後方に位置している。そして、図９に示すように、リンク部材２０の係合部材２４は連結片１３の長孔１５内に位置し、リンク部材２０の突起部２３は裏カバー５０の扇形の凹部５１の内部に位置している。また、図７に示すように、表カバー４０の球受け部４４とベース板６０の開口部６２とが合致し、樋部６３は、図９に示すように、裏カバー５０の開口部５２内に位置するようになっている。そして、導入口３１で受けた遊技球は、振分回転体１０によって振り分けられて球受け部４４に落下し、球受け部４４から転送される遊技球が、開口部６２及び樋部６３を経て、開口部５２に誘導されるものとなっている。なお、凹部５１及び突起部２３は、遊技球が通過する球通過領域（表カバー４０とベース板６０との間）ではなく、遊技球が通過しない領域（ベース板６０と裏カバー５０との間であって第１球通路３４及び第２球通路３５よりも上方）に設けられているので、リンク部材２０の動きに対する遊技球の通過による影響を最小限に抑えることができるものとなっている。
【００４０】
振分装置１は、図７に示すように、遊技盤１１０に設けられた開口部１１０Ａの内部に裏カバー５０を収納した状態で、ベース板６０を遊技盤１１０の正面側に固定することにより、遊技盤１１０に取り付けられる。そして、遊技盤１１０を流下する遊技球を、表カバー４０の２つの側壁部４２の間隙とベース板６０により形成される導入口３１から受け入れるが、導入口３１に受け入れられなかった遊技球は、側壁部４２の外面を滑落するので、球受け部４４が受け入れることはない。
なお、裏カバー５０の前後方向の厚みは、表カバー４０の前後方向の厚みよりも薄く形成されており、遊技球の径よりも小さいものとなっている。さらに、裏カバー５０の前後方向の厚みは、遊技盤１１０の厚みと同じ程度に形成されている。これにより、遊技盤１１０の裏側であって振分装置１の上側となる位置に、演出用の可動役物などを配置する場合に、振分装置１が邪魔にならない。
【００４１】
（振分装置１の作用）
次に、振分装置１による遊技球の振り分けについて詳述する。
振分回転体１０は、常態において、図８又は図９に示すように、正面視したとき振分羽根１２Ａが右側に傾倒した状態となる回動位置で静止する（停止して動かない）か、もしくは、図１０（Ｂ）に示すように、振分羽根１２Ａが左側に傾倒した状態となる回動位置で静止している。振分羽根１２Ａが右側に傾倒した静止状態においては、リンク部材２０の突起部２３が凹部５１の左壁部５１Ａ（図１１参照）に当接してリンク部材２０が最も左側まで回動した状態となっており、振分羽根１２Ａが左側に傾倒した静止状態においては、リンク部材２０の突起部２３が凹部５１の右壁部５１Ｂ（図１１参照）に当接してリンク部材２０が最も右側まで回動した状態となっている。なお、図１１（Ａ）は、振分回転体１０を正面視した図であり、図１１（Ｂ）は、図１１（Ａ）を背面視した図である。そして、このような静止状態においては、図８に示すように、振分羽根１２Ａの左側と受け羽根１２Ｂの上側との間に形成される空間部、又は振分羽根１２Ａの右側と受け羽根１２Ｃの上側との間に形成される空間部のいずれかが、導入口３１に臨むこととなる。
【００４２】
例えば、振分回転体１０が図９に示す回動位置（振分羽根１２Ａが右側に傾倒し、受け羽根１２Ｂが略水平状態となっている位置）にあるときに、導入口３１から遊技球が進入すると、遊技球は振分羽根１２Ａの左側に誘導される（図８参照）。そして、落下する遊技球の自重によって受け羽根１２Ｂ（受け部）が押し下げられ、振分回転体１０の円板部１１は反時計回りに回転する。これに伴い、連結片１３が長孔１５の縁部で係合部材２４を右方向に押し、図１０（Ａ）に示すように、リンク部材２０が右方向に回動する。そして、遊技球が受け羽根１２Ｂから離れて第１流路３２に流下するときには、リンク部材２０の重心が右側に傾くので、リンク部材２０の揺動部２２が時計回りに回動する。そうすると係合部材２４が連結片１３の長孔１５の縁部を右方向に押すので、振分回転体１０の円板部１１がさらに反時計回りに回転する。そして、リンク部材２０の突起部２３が凹部５１の右壁部５１Ｂ（図１１参照）に当接すると、図１０（Ｂ）に示すように、振分羽根１２Ａが左側に傾倒した状態で振分回転体１０が静止する。
【００４３】
また、振分回転体１０が図１０（Ｂ）に示す回動位置（振分羽根１２Ａが左側に傾倒し、受け羽根１２Ｃが略水平状態となっている位置）にあるときに、導入口３１から遊技球が進入すると、遊技球は振分羽根１２Ａの右側に誘導される。そして、落下する遊技球の自重によって今度は受け羽根１２Ｃ（受け部）が押し下げられ、振分回転体１０の円板部１１は時計回りに回転し、遊技球は第２流路３３に流下する。そして、リンク部材２０の突起部２３が凹部５１の左壁部５１Ａ（図１１参照）に当接すると、図８及び図９に示すように、振分羽根１２Ａが右側に傾倒した状態で振分回転体１０が静止する。すなわち、凹部５１の右壁部５１Ｂ及び左壁部５１Ａは、リンク部材２０の左右方向の回動範囲（揺動範囲）を規制する規制部として機能している。
【００４４】
以上のように、振分装置１に進入した遊技球は、振分回転体１０によって、第１流路３２と、第２流路３３とに、交互に振り分けられることとなる。第１流路３２に流下した遊技球は、第１球通路３４を通って第１球出口３６に誘導され、第２流路３３に流下した遊技球は、第２球通路３５を通って第２球出口３７に誘導される。そして、第１球出口３６に誘導された遊技球がセンサ（図示しない第１始動入賞口検知センサ）によって検出されることにより、第１始動入賞口１５０に遊技球が入球したものと扱われ、第２球出口３７に誘導に誘導された遊技球がセンサ（図示しない第２始動入賞口検知センサ）によって検出されることにより、第２始動入賞口１６０Ａに遊技球が入球したものと扱われるようになっている。すなわち、振分装置１は、結果として、導入口３１で受け入れた遊技球を、振分回転体１０によって、第１始動入賞口１５０と、第２始動入賞口１６０Ａとに振り分けていることとなる。
【００４５】
ここで、振分回転体１０の回転をストッパーで直接停止させる場合、前方に突出している羽根部１２をストッパーに当てて停止させるのが最も効果的である。また、振分回転体１０の羽根部１２の長さを長くしたり、振分回転体１０の重量をある程度重くすれば、羽根部１２が直接ストッパーに当接しても、振分回転体１０がストッパーに当接した反動で回転しないようにすることができる。しかし、振分回転体１０を小型化、軽量化すると、ストッパーに当接した反動で回転してしまうおそれがある。さらに、羽根部１２は頻繁に遊技球と接触することから、他の部分よりも破損しやすい状況下にあり、その羽根部１２をさらにストッパーに接触させるようにすると、破損の危険性が高くなる。特に、振分回転体１０を小型化、軽量化すれば、その傾向が顕著になる。
【００４６】
この点、本実施の形態では、振分回転体１０の回転を直接的に停止させるストッパーを設けずに、振分回転体１０に連結されるリンク部材２０の揺動範囲を規制するための規制部（凹部５１の右壁部５１Ｂ及び左壁部５１Ａ）を設けている。そして、振分回転体１０の回転及び停止を補助するリンク部材２０を規制部によって停止させることにより、振分回転体１０を間接的に停止させるようにしている。これにより、振分回転体１０を小型化、軽量化しても、振分回転体１０がストッパーに当接した反動で回転してしまうのを防止できるとともに、振分回転体１０が破損する危険性を低くすることができる。
【００４７】
また、本実施の形態では、図１１（Ａ）に示すように、リンク部材２０の係合部材２４と、この係合部材２４が係合する振分回転体１０の連結片１３の長孔１５の内縁との間に、ある程度の間隙Ｃを設けてある。これにより、リンク部材２０の突起部２３が凹部５１の横壁部（左壁部５１Ａ及び右壁部５１Ｂ）に当接したときに、その反動でリンク部材２０が中心側（図１１(Ａ)の白矢印方向）にバウンドしたとしても、間隙Ｃが係合部材２４の位置移動を吸収し、振分回転体１０に極力影響を与えないようにすることができる。すなわち、リンク部材２０のバウンドに伴い係合部材２４が長孔１５の内縁に接触して連結片１３を動かしてしまい、振分回転体１０の円板部１１が回転してしまうのを防止することができる。
【００４８】
なお、上記した実施の形態では、リンク部材２０の突起部２３を係止する規制部として、扇形の凹部５１の左壁部５１Ａ及び右壁部５１Ｂを設けてあったが、凹部５１は扇形のものに限られず、例えば長方形状の凹部の左壁部及び右壁部を規制部としてもよい。また、規制部を形成するのは凹部に限られず開口部であってもよい。要は、リンク部材２０の一部に当接してリンク部材２０の揺動範囲を規制することができるようになっていればよい。例えば規制部として、裏カバー５０の正面やベース板６０の裏面に、リンク部材２０の揺動部２１の左右の側端部に当接可能な２つの突片を設けてもよい。あるいは、リンク部材２０に凹部を設け、裏カバー５０の正面に前記凹部内に突出する規制部としての突起部を設け、リンク部材２０の凹部の左右の壁部が裏カバー５０の突起部に当接することにより、リンク部材２０の揺動範囲が規制されるようにしてもよい。
【００４９】
また、上記した実施の形態では、振分装置１は、第１始動入賞口１５０と第二始動入賞口１６０Ａとに遊技球を振り分けるものであったが、遊技球を振り分けるのはこれらに限られない。例えば、第１始動入賞口１５０とゲート２００とに振り分ける構成としてもよい。
【００５０】
なお、上記した実施の形態における振分回転体１０は本発明の振分装置に相当し、振分回転体１０の羽根部１２は本発明の受け部に相当する。また、上記した実施の形態におけるリンク部材２０は本発明の補助部材に相当する。また、上記した実施の形態における第１始動入賞口１５０は本発明の第１の領域に相当し、上記した実施の形態における第２始動入賞口１６０Ａは本発明の第２の領域に相当する。また、図９に示す振分回転体１０の回動位置は本発明の第１の回動位置に相当し、図１０（Ｂ）に示す振分回転体１０の回動位置は本発明の第２の回動位置に相当する。そして、上記した実施の形態における凹部５１の左壁部５１Ａ及び右壁部５１Ｂは本発明の規制部に相当する。
【符号の説明】
【００５１】
Ｐ  パチンコ機（遊技機）              １  振分装置
１０  振分回転体（振分装置）          １１  円板部
１２  羽根部（受け部）              １２Ａ  振分羽根
１２Ｂ  受け羽根                      １２Ｃ  受け羽根
１３  連結片                          １５  長孔（開口部）
２０  リンク部材（補助部材）        ２０Ａ  調整部
２１  揺動部                          ２２  軸止部
２３  突起部                          ２４  係合部材
２５  軸孔
３０  ハウジング                      ３１  導入口
３２  第１流路                        ３３  第２流路
３４  第１球通路                      ３５  第２球通路
３６  第１球出口                      ３７  第２球出口
４０  表カバー                        ４１  装飾板
４２  側壁部                          ４３  仕切部
４４  球受け部                        ４５  軸孔
５０  裏カバー                        ５１  凹部
５１Ａ  左壁部（規制部）              ５１Ｂ  右壁部（規制部）
５２  開口部                    ５３，５４  軸孔
６０  ベース板                        ６１  開口部
６２  開口部                          ６３  樋部
６４  軸孔
７０  回動軸                          ８０  揺動軸
１５０  第１始動入賞口（第１の領域）１６０Ａ  第２始動入賞口（第２の領域）
【図１】
0006383295.tif 000002
【図２】
0006383295.tif 000003
【図３】
0006383295.tif 000004
【図４】
0006383295.tif 000005
【図５】
0006383295.tif 000006
【図６】
0006383295.tif 000007
【図７】
0006383295.tif 000008
【図８】
0006383295.tif 000009
【図９】
0006383295.tif 000010
【図１０】
0006383295.tif 000011
【図１１】
0006383295.tif 000012